(57)【要約】【課題】  論理基板の製造負荷及び管理負荷を低減し得るディスクアレイ装置と、効率良く冷却を行い得るディスクアレイ装置とを提案する。【解決手段】  第１の論理基板を機能的に複数に分割してなる複数の第２の論理基板と、各第２の論理基板を収容する筐体とを備え、筐体が、各第２の論理基板を、当該筐体に対する第２の論理基板の挿入方向と第２の論理基板の厚み方向とに垂直な方向に並ぶように収容するようにした。各論理基板を、当該論理基板の厚み方向に並べて収容する筐体と、筐体の奥側及び手前側にそれぞれ配置した第１及び第２の冷却ファンとを設け、第１及び第２の冷却ファンが、筐体内に収容された論理基板を挟んで、筐体に対する論理基板の挿入方向と論理基板の厚み方向との双方に垂直な方向の両側に配置するようにした。【選択図】        図８
2006309856.tif 000002
【特許請求の範囲】
【請求項１】
データの入出力を制御するための回路が形成された第１の論理基板を機能的に複数に分割してなる複数の第２の論理基板と、
各前記第２の論理基板を収容する筐体と
を備え、
前記筐体は、
前記第１の論理基板を機能的に分割してなる各前記第２の論理基板を、当該筐体に対する前記第２の論理基板の挿入方向と前記第２の論理基板の厚み方向とに垂直な方向に並ぶように収容する
ことを特徴とするディスクアレイ装置。
【請求項２】
各前記第２の論理基板は、
前記第１の論理基板の基板面積を分割数で割った大きさとほぼ等しい大きさの基板面積に形成された
ことを特徴とする請求項１に記載のディスクアレイ装置。
【請求項３】
前記第２の論理基板における前記筐体への挿入方向の後端側の一角にのみ設けられ、前記第２の論理基板を前記筐体に挿抜する際に操作される挿抜レバー
を備えることを特徴とする請求項１に記載のディスクアレイ装置。
【請求項４】
前記挿抜レバーにおける前記第２の論理基板を前記筐体に挿抜する際に操作されるハンドル部の長さが、前記第２の論理基板における前記筐体への挿入方向と垂直な方向の長さとほぼ同じ大きさに形成された
ことを特徴とする請求項３に記載のディスクアレイ装置。
【請求項５】
前記挿抜レバーの前記ハンドル部は、前記第２の論理基板における前記筐体への挿入方向の後端部を覆うように形成された
ことを特徴とする請求項４に記載のディスクアレイ装置。
【請求項６】
前記第２の論理基板における前記筐体への挿入方向の後端部には１又は複数の接続ポートが形成され、
前記挿抜レバーの前記ハンドル部には、前記接続ポートを避けるように開口部が形成された
ことを特徴とする請求項５に記載のディスクアレイ装置。
【請求項７】
前記挿抜レバーの前記ハンドル部には、前記開口部と連通する切欠き部が形成された
ことを特徴とする請求項６に記載のディスクアレイ装置。
【請求項８】
データの入出力を制御するための回路が形成された論理基板と、
各前記論理基板を、当該論理基板の厚み方向に並べて収容する筐体と、
前記筐体における前記論理基板の装着位置よりも当該論理基板の挿入方向の奥側に設けられた排気又は吸気用の第１の冷却ファンと、
前記筐体における前記論理基板の装着位置よりも当該論理基板の挿入方向の手前側に設けられた吸気又は排気用の第２の冷却ファンと
を備え、
前記第１及び第２の冷却ファンが、前記筐体内に収容された前記論理基板を挟んで、前記筐体に対する前記論理基板の挿入方向と前記論理基板の厚み方向との双方に垂直な方向の両側に配置された
ことを特徴とするディスクアレイ装置。
【請求項９】
前記第１の冷却ファンから前記第２の冷却ファンに向けて又は前記第２の冷却ファンから前記第１の冷却ファンに向けて冷却風が流れるようにガイドするガイド部材
を備えることを特徴とする請求項８に記載のディスクアレイ装置。
【請求項１０】
前記論理基板における前記筐体への挿入方向の後端部を覆うように設けられたカバー
を備えることを特徴とする請求項８に記載のディスクアレイ装置。
【請求項１１】
前記カバーは、
前記論理基板における前記筐体への挿入方向の後端側の一角にのみ設けられ、前記論理基板を前記筐体に挿抜する際に操作される挿抜レバーにおける、前記論理基板を前記筐体に挿抜する際に操作されるハンドル部である
ことを特徴とする請求項１０に記載のディスクアレイ装置。
【請求項１２】
前記論理基板における前記筐体への挿入方向の後端部には１又は複数の接続ポートが形成され、
前記カバーには、前記接続ポートを避けるように開口部が形成された
ことを特徴とする請求項１０に記載のディスクアレイ装置。
【請求項１３】
データの入出力を制御するための回路が形成された第１の論理基板を機能的に複数に分割してなる複数の第２の論理基板と、
各前記第２の論理基板を、当該第２の論理基板の厚み方向に並ぶように収容する筐体と、
前記第２の論理基板における前記筐体への挿入方向の後端側の一角にのみ設けられ、前記第２の論理基板を前記筐体に挿抜する際に操作される挿抜レバーと、
前記筐体における前記論理基板の装着位置よりも当該論理基板の挿入方向の奥側に設けられた排気又は吸気用の第１の冷却ファンと、
前記筐体における前記論理基板の装着位置よりも当該論理基板の挿入方向の手前側に設けられた吸気又は排気用の第２の冷却ファンと
を備え、
前記第１及び第２の冷却ファンが、前記筐体内に収容された前記論理基板を挟んで、前記筐体に対する前記論理基板の挿入方向と前記論理基板の厚み方向との双方に垂直な方向の両側に配置された
ことを特徴とするディスクアレイ装置。
【発明の詳細な説明】
【技術分野】
【０００１】
本発明は、ディスクアレイ装置に関し、ラックタイプ及びキャビネットタイプの双方に適用して好適なものである。
【背景技術】
【０００２】
従来、ディスクアレイ装置として、複数のディスクドライブが収納されたディスクドライブモジュールと、上位装置及びディスクドライブ間のデータの入出力制御を行うための複数枚の論理基板が収納された論理モジュールとなどの各モジュールが汎用の筐体に納められたキャビネットタイプのものと、ディスクドライブモジュール及び論理モジュールなどの各種モジュールが専用の筐体に納められたキャビネットタイプのものとがある。
【０００３】
このうち主にミッドレンジのディスクアレイ装置の実装形式であるラックタイプは、可能な限り最小単位に分けたものをモジュール化してラックフレームに収納させるように構成されているが、各モジュールの配置の自由度等を考慮した場合には、可能な限りいずれのモジュールも同じ程度の高さにすることが望まれる。
【０００４】
このような要望に応えるべく、従来、ディスクドライブモジュール用の収容部と、各種論理基板が収納される論理モジュール用の収容部との高さ及び幅をほぼ等しく形成することが提案されている（特許文献１参照）。
【特許文献１】特開２００５−１１４０５号公報
【発明の開示】
【発明が解決しようとする課題】
【０００５】
ところで、従来のディスクアレイ装置においては、ラックタイプで用いる論理基板の基板サイズと、キャビネットタイプで用いる論理基板の基板サイズとが異なり、このためこれらを別々に製造及び管理することに関する負荷が大きい問題があった。
【０００６】
一方、キャビネットタイプのディスクアレイ装置では、筐体の正面側及び背面側の両方からディスクドライブモジュール及び論理モジュール等が収納されるのに対し、ラックタイプのディスクアレイ装置では、通常、筐体（ラックフレーム）の一方側からのみディスクドライブモジュール及び論理モジュール等が収納される。
【０００７】
このためラックタイプのディスクアレイ装置では、ディスクドライブモジュールや論理モジュール等において発生する熱を外部に排出してディスクアレイ装置内部を冷却するための冷却構造として、キャビネットタイプのディスクアレイ装置において採用されている冷却構造を適用できない場合がある。
【０００８】
この場合には、ラックタイプのディスクアレイ装置に特有の構造を考慮して、効率良くディスクアレイ装置内部を冷却できる冷却構造を適用することが望まれる。
【０００９】
本発明は以上の点を考慮してなされたもので、第１に、論理基板の製造負荷及び管理負荷を低減し得るディスクアレイ装置、第２に、効率良く冷却を行い得るディスクアレイ装置を提案しようとするものである。
【課題を解決するための手段】
【００１０】
かかる課題を解決するため本発明においては、ディスクアレイ装置であって、データの入出力を制御するための回路が形成された第１の論理基板を機能的に複数に分割してなる複数の第２の論理基板と、各前記第２の論理基板を収容する筐体とを備え、前記筐体は、前記第１の論理基板を機能的に分割してなる各前記第２の論理基板を、当該筐体に対する前記第２の論理基板の挿入方向と前記第２の論理基板の厚み方向とに垂直な方向に並ぶように収容することを特徴とする。この結果このディスクアレイ装置によれば、ラックタイプ及びキャビネットタイプに共用できる論理基板を得ることができる。
【００１１】
また本発明においては、ディスクアレイ装置であって、データの入出力を制御するための回路が形成された論理基板と、各前記論理基板を、当該論理基板の厚み方向に並べて収容する筐体と、前記筐体における前記論理基板の装着位置よりも当該論理基板の挿入方向の奥側に設けられた排気又は吸気用の第１の冷却ファンと、前記筐体における前記論理基板の装着位置よりも当該論理基板の挿入方向の手前側に設けられた吸気又は排気用の第２の冷却ファンとを備え、前記第１及び第２の冷却ファンが、前記筐体内に収容された前記論理基板を挟んで、前記筐体に対する前記論理基板の挿入方向と前記論理基板の厚み方向との双方に垂直な方向の両側に配置するようにした。この結果このディスクアレイ装置では、筐体内において、第１の冷却ファンから第２の冷却ファンに向けて又は第２の冷却ファンから第１の冷却ファンに向けてＺ字状に冷却風を流すことができる。
【００１２】
さらに本発明においては、ディスクアレイ装置であって、データの入出力を制御するための回路が形成された第１の論理基板を機能的に複数に分割してなる複数の第２の論理基板と、各前記第２の論理基板を、当該第２の論理基板の厚み方向に並ぶように収容する筐体と、前記第２の論理基板における前記筐体への挿入方向の後端側の一角にのみ設けられ、前記第２の論理基板を前記筐体に挿抜する際に操作される挿抜レバーと、前記筐体における前記論理基板の装着位置よりも当該論理基板の挿入方向の奥側に設けられた排気又は吸気用の第１の冷却ファンと、前記筐体における前記論理基板の装着位置よりも当該論理基板の挿入方向の手前側に設けられた吸気又は排気用の第２の冷却ファンとを備え、前記第１及び第２の冷却ファンが、前記筐体内に収容された前記論理基板を挟んで、前記筐体に対する前記論理基板の挿入方向と前記論理基板の厚み方向との双方に垂直な方向の両側に配置するようにした。この結果このディスクアレイ装置では、ラックタイプ及びキャビネットタイプに共用できる論理基板を得ることができ、さらに筐体内において、第１の冷却ファンから第２の冷却ファンに向けて又は第２の冷却ファンから第１の冷却ファンに向けてＺ字状に冷却風を流すことができる。
【発明の効果】
【００１３】
本発明によれば、ラックタイプ及びキャビネットタイプに共用できる論理基板を得ることができ、かくして各タイプ用の論理基板を別個に製造管理することに対する負荷を低減することができる。またこの場合において、筐体が、第１の論理基板を機能的に分割してなる各第２の論理基板を、当該筐体に対する第２の論理基板の挿入方向と垂直な方向に並ぶように収容するため、第１の論理基板を複数の第２の論理基板に分割したことに起因する性能劣化を有効に防止することができる。
【００１４】
また本発明によれば、筐体内において、第１の冷却ファンから第２の冷却ファンに向けて又は第２の冷却ファンから第１の冷却ファンに向けてＺ字状に冷却風を流すことができる。従って、筐体内に配設されるいわゆるバックボードに邪魔されることなく、効率的に論理基板を冷却することができる。
【発明を実施するための最良の形態】
【００１５】
以下図面について、本発明の一実施の形態を詳述する。
【００１６】
（１）第１の実施の形態
（１−１）概観構成
図１及び図２は、第１の実施の形態によるキャビネットタイプのディスクアレイ装置１を示す。本実施の形態によるキャビネットタイプのディスクアレイ装置１は、ディスクアレイ装置１全体の動作制御を司る制御装置１０と、複数のディスクドライブ３が収納された駆動装置４とを備えて構成される。図１及び図２に示す例では、制御装置２が中央に配置され、その左右に駆動装置３が配置されている。
【００１７】
制御装置２は、論理モジュール１０、ディスクドライブモジュール１１、電源モジュール１２、冷却ファン１３、バッテリ１４及びＡＣ−ＢＯＸ１５をそれぞれ制御装置用筐体１６に収容して構成される。また制御装置２には、ディスクアレイ装置１を保守管理するオペレータによる操作入力を受け付けるためのオペレータパネル１７が設けられている。
【００１８】
論理モジュール１０には、論理モジュール筐体１８内に上位装置（図示せず）及び駆動装置４間におけるデータの入出力を制御するための複数の論理基板１９が装填されて構成される。論理モジュール筐体１８内に装着される論理基板１９としては、例えば上位装置との間で通信を行う後述のチャネルアダプタ６０（図６）や、ディスクドライブ３に対するデータ入出力のための制御を行う後述のディスクアダプタ６４（図６）などがある。これら論理基板１９は、それぞれ制御装置用筐体１６内に配置されたバックボード２０（図２）に接続される。
【００１９】
ディスクドライブモジュール１１は、ディスクドライブモジュール筐体２１内に複数のディスクドライブ３が整列して収容されることにより構成される。図１〜図３に示す例では、ディスクドライブ３が４段に重ねて収容されている。各ディスクドライブ３は、記録媒体としてのディスクを内蔵する。
【００２０】
ＡＣ−ＢＯＸ１５は、ディスクアレイ装置１に対する交流電力の取り入れ口であり、ブレーカとして機能する。ＡＣ−ＢＯＸ１５に取り入れられた交流電力は、電源モジュール１２に供給される。電源モジュール１２は、ＡＣ−ＢＯＸ１５から与えられる交流電源を直流電源に変換し、論理モジュール１０やディスクドライブモジュール１１及び各冷却ファン１３に直流電力を供給する。
【００２１】
冷却ファン１３は、制御装置２の内部の空気を外部に排出する。これにより論理モジュール１０や、ディスクドライブモジュール１１及び電源モジュール１２において発生した熱を制御装置２の外部に放出することができる。バッテリ１４は、停電時や電源モジュール１２の異常時に、制御装置２内の各部位に電力を供給するための予備電源として用いられる。
【００２２】
制御装置用筐体１６は、上部仕切部２２及び下部仕切部２３によって上段、中段及び下段の３段に区分けされている。本実施の形態の場合、制御装置用筐体１６の上段にディスクドライブモジュール１１及び冷却ファン１３が収容され、中段に論理モジュール１０及び論理モジュール１０用の冷却ファン１３が収容され、下段にＡＣ−ＢＯＸ１５，バッテリ１２及び電源モジュール１４が収容されている。
【００２３】
かかるキャビネットタイプのディスクアレイ装置１では、論理モジュール１０、ディスクドライブモジュール１１、電源モジュール１２、冷却ファン１３、バッテリ１４及びＡＣ−ＢＯＸ１５は、正面側からだけでなく背面側からも同様に制御装置用筐体１６内に収容される。
【００２４】
駆動装置４は、ディスクドライブモジュール３０、電源モジュール３１、冷却ファン３２、バッテリ３３及びＡＣ−ＢＯＸ３４がそれぞれ着脱自在に駆動装置用筐体３５に収容されて構成される。これらはいずれも制御装置２におけるディスクドライブモジュール１１、電源モジュール１２、冷却ファン１３、バッテリ１４又はＡＣ−ＢＯＸ１５と同様の構成及び機能を有するものである。
【００２５】
一方、図４及び図５は、第１の実施の形態によるラックタイプのディスクアレイ装置４０を示す。図４（Ａ）及び図５（Ａ）は、ディスクアレイ装置４０の正面図であり、図４（Ｂ）及び図５（Ｂ）はディスクアレイ装置４０の背面図である。
【００２６】
この実施の形態の場合、かかるディスクアレイ装置４０は、基本構成部４１及び増設部４２から構成されている。基本構成４１部は、複数のディスクドライブ３が収納されたディスクドライブモジュール５０と、ディスクアレイ装置４０の制御を行うための複数の論理基板１９が収容された論理モジュール５２と、コントロール回路が形成されているコントロール基板が収納されたコントロールモジュール５３とをそれぞれラックフレーム５４に収容して構成される。これらディスクドライブモジュール５０、論理モジュール５２及びコントロールモジュール５３は、それぞれラックフレーム５４にねじを用いて固定される。
【００２７】
各ディスクドライブモジュール５０は、ディスクドライブモジュール筐体５５の前面側に複数のディスクドライブ３が整列されて収容されると共に、当該ディスクドライブモジュール筐体５５の背面側に電源部５６及び冷却ファン５９が収容されている。図４及び図５に示す例では、ディスクドライブ３が４段に重ねて収容されている。
【００２８】
論理モジュール５２は、その奥側にバックボード５１が固定配置されており、論理モジュール筐体５７の背面側から複数の論理基板１９及び電源部（図示せず）が収容されるほか、前面側から複数のバッテリ５８が収容されて構成される。このバッテリ５８も、停電時や電源部の異常時にディスクアレイ装置４０内の各部位に電力を供給するための予備電源として用いられる。
【００２９】
また増設部４２は、それぞれ複数のディスクドライブ３が整列されて収容された複数のディスクドライブモジュール５０をラックフレーム５４に収容して構成される。これらディスクドライブモジュール５０もそれぞれラックフレーム５４にねじを用いて固定されている。
【００３０】
ここで、従来のラックタイプのディスクアレイ装置では、論理モジュールに収納される論理基板の大きさの関係から、ディスクドライブモジュールよりも論理モジュールのほうが大きく形成されていた。しかしながら、ラックフレームにおける論理モジュールやディスクドライブモジュールの配置の自由度を考慮した場合、これら論理モジュール及びディスクドライブモジュールを可能な限り同程度の高さにすることが望まれる。
【００３１】
そこでこの実施の形態においては、従来の論理基板に後述のチャネルアダプタ６０（図６）やディスクアダプタ６４（図６）等の回路がそれぞれ２個ずつ形成されていたことを考慮して、当該論理基板をこれら回路が基板１枚に１つずつ形成されるように機能的に２分割し、論理モジュール１０（図１〜図３），５２（図４、図５）に収容される各論理基板１９を従来の論理基板の半分の高さとなるように、基板面積をもとの論理基板のほぼ半分に形成することで、図４及び図５のように、論理モジュール５２をディスクドライブモジュール５０と同じ高さとなるように形成できるようにしており、これによりラックタイプのディスクアレイ装置４０における配置の自由度を向上させている。
【００３２】
一方、ラックタイプ及びキャビネットタイプの双方のディスクアレイ装置１，４０に論理基板１９を共用することを考えた場合、主にハイエンドのディスクアレイ装置の実装形式であるキャビネットタイプにおいては、従来機種の性能と変わらない性能を保つためには、論理モジュール１０（図１〜図３）における論理基板１９の実装密度を従来機種と同様程度に保つことが必要となる。また従来機種の性能と変わらない性能を保つため、及びバックボードの配線構造に与える影響を少なくするためには、従来のキャビネットタイプの構造を可能な限り引き継ぐことも重要となる。
【００３３】
そこで、本実施の形態によるキャビネットタイプのディスクアレイ装置１では、図１〜図３に示すように、従来の論理基板を機能的に２分割すると共に基板面積がもとの論理基板のほぼ半分に等しい論理基板１９を２枚上下方向（論理モジュール筐体５７に対する論理基板１９の挿入方向と論理基板１９の厚み方向とに垂直な方法）に並べて配置することにより、基板面積の合計値や、論理基板１９の実装構造及び実装密度をほぼ従来機種と同程度に維持すると共に、これら２枚の論理基板１９によって、従来機種の性能と変わらない性能を維持している。
【００３４】
（１−２）ディスクアレイ装置の内部構成
図６は、上述のような構成を有するキャビネットタイプのディスクアレイ装置１の内部構成を示す。この図６からも明らかなように、キャビネットタイプのディスクアレイ装置１は、上述のように制御装置２と複数の駆動装置４とから構成される。このうち制御装置２は、複数のチャネルアダプタ６０、接続部６１、共有メモリ６２、キャッシュメモリ６３、複数のディスクアダプタ６４及び管理端末６５からなるコントロール部６６を備える。
【００３５】
各チャネルアダプタ６０は、それぞれマイクロプロセッサ、メモリ及び通信インタフェース等を備えたマイクロコンピュータシステムとして構成されており、それぞれネットワーク等に接続するためのポートを備える。チャネルアダプタ６０は、上位装置から例えばネットワークを介して送信される各種コマンドを解釈して実行する。各チャネルアダプタ６０のポートには、それぞれを識別するためのネットワークアドレス（例えば、ＩＰアドレスやＷＷＮ）が割り当てられており、これにより各チャネルアダプタ６０がそれぞれ個別にＮＡＳ（Network Attached Storage）として振る舞うことができるようになされている。
【００３６】
接続部６１は、チャネルアダプタ６０、共有メモリ６２、キャッシュメモリ６３及びディスクアダプタ６４と接続されている。チャネルアダプタ６０、共有メモリ６２、キャッシュメモリ６３及びディスクアダプタ６４間でのデータやコマンドの授受は、この接続部６１を介して行われる。接続部６１は、例えば高速スイッチングによりデータ伝送を行う超高速クロスバススイッチなどのスイッチ又はバス等で構成される。
【００３７】
共有メモリ６２及びキャッシュメモリ６３は、チャネルアダプタ６０及びディスクアダプタ６４により共有される記憶メモリである。共有メモリ６２は、主に制御情報やコマンド等を記憶するために利用され、キャッシュメモリ６３は、主に制御装置２内のディスクドライブモジュール３０や駆動装置４に入出力するデータを一時的に記憶するために利用される。
【００３８】
各ディスクアダプタ６４は、マイクロプロセッサやメモリ等を備えたマイクロコンピュータシステムとして構成され、制御装置２内のディスクドライブモジュール３０や駆動装置４との通信時におけるプロトコル制御を行うインタフェースとして機能する。これらディスクアダプタ６４は、例えばファイバーチャネルケーブル６７を介して各駆動装置４と接続されており、ファイバーチャネルプロトコルに従ってこれらディスク駆動装置４との間のデータの授受を行う。
【００３９】
管理端末６５は、ディスクアレイ装置１全体の動作を制御するものであり、例えばノート型パーソナルコンピュータ等により構成される。管理端末６５は、ＬＡＮ６８を介して各チャネルアダプタ６０とそれぞれ接続され、ＬＡＮ６９を介して各ディスクアダプタ６４とそれぞれ接続されている。管理端末６５は、ディスクアレイ装置１内の障害の有無を監視し、障害が発生したときにこれを外部の管理コンソール７０に通知して表示させたり、オペレータ操作に応じて管理コンソール７０から与えられる指令に基づいてディスクユニット３の閉塞を指示する等の処理を行う。
【００４０】
駆動装置４は、それぞれ複数のディスクユニット３及び電源部３３（図１、図２）などから構成される。各ディスクユニット３は、例えばＳＣＳＩ（Small Computer System Interface）ディスク等の高価なディスクドライブ、又はＳＡＴＡ（Serial AT Attachment）ディスクや光ディスク等の安価なディスクデバイスを内蔵して構成される。これら各ディスクユニット３内のディスクデバイスは、制御装置２内の管理端末６５によりＲＡＩＤ方式で運用される。１又は複数のディスクデバイスにより提供される物理的な記憶領域上に、１又は複数の論理的なボリューム（以下、これを論理ボリュームと呼ぶ）が設定される。そしてデータは、この論理ボリュームに記憶される。
【００４１】
このような構成を有するキャビネットタイプのディスクアレイ装置１におけるデータの入出力の流れについて説明する。チャネルアダプタ６０は、上位装置からのデータ書込み要求を受信すると、書込みコマンドを共有メモリ６２に書き込むと共に、このデータ書込み要求と共に上位装置から送信される書込み対象のデータをキャッシュメモリ６３に書き込む。
【００４２】
このときディスクアダプタ６４は共有メモリ６２を常時監視しており、共有メモリ６２に書込みコマンドが書き込まれたことを検出すると、論理アドレス指定によるデータ書込み要求を、物理アドレス指定によるデータ書込み要求に変換して、これを制御装置２内のディスクモジュール１１又は対応する駆動装置４に送信する。またディスクアダプタ６４は、共有メモリ６２に書き込まれた書込みコマンドに従ってキャッシュメモリ６３から書込み対象のデータを読み出し、これを制御装置２内のディスクモジュール１１又は対応する駆動装置４に送信する。
【００４３】
この結果このデータ書込み要求に応じて、書込み対象のデータが制御装置２内のディスクドライブモジュール１１における対応するディスクドライブ３又は駆動装置４内の対応するディスクドライブ３に収納されたディスクデバイスにおける指定されたアドレス位置に書き込まれる。
【００４４】
これに対して、チャネルアダプタ６０は、上位装置からデータ読出し要求が与えられると、これに応じた読出しコマンドを共有メモリ６２に書き込む。またディスクアダプタ６４は共有メモリ６２に読出しコマンドが書き込まれたことを検出すると、論理アドレス指定によるデータ読出し要求を物理アドレス指定によるデータ読出し要求に変換して、これを制御装置２内のディスクモジュール１１又は対応する駆動装置４に送信する。
【００４５】
この結果このデータ読出し要求に応じて、対応するデータが対応するディスクドライブ３から読み出される。そしてこの読み出されたデータ（以下、これを読出しデータと呼ぶ）がディスクアダプタ６４に送信される。
【００４６】
読出しデータを受信したディスクアダプタ６４は、読出しコマンドを共有メモリ６２に書き込むと共に、当該読出しデータをキャッシュメモリ６３に書き込む。一方、チャネルアダプタ６０は共有メモリ６２を常時監視しており、共有メモリ６２に読出しコマンドが書き込まれたことを検出すると、この読出しコマンドに従ってキャッシュメモリ６３から読出しデータを読み出し、これを対応する上位装置に送信する。
【００４７】
一方、図７は、ラックタイプのディスクアレイ装置４０の内部構成を示す。ラックタイプのディスクアレイ装置４０は、上述のように基本構成部４１と増幅部４２とから構成される。このうち基本構成部４１は、この図７に示すように、複数のチャネルアダプタ６０、接続部６１、共有メモリ６２、キャッシュメモリ６３、複数のディスクアダプタ６４及びコントロールモジュール５３内のコントローラ７１から構成されるコントロール部７２を備える。コントローラ７１は、図６について上述したキャビネットタイプのディスクアレイ装置１の管理端末６５と同様の機能を有する。
【００４８】
基本構成部４１のディスクドライブモジュール５０に収納された各ディスクドライブ３及び増幅部４２のディスクドライブモジュール５０に収納された各ディスクドライブ３は、この図７に示すように、冗長性をもたせるため２つのディスクアダプタ６４と接続されている。これによりこれら２つのディスクアダプタ６４のいずれか一方が故障した場合にも、他方のディスクアダプタ６４により各ディスクドライブ３へのアクセスが可能となる。このディスクアレイ装置４０におけるデータの入出力は、キャビネットタイプのディスクアレイ装置１におけるデータの入出力と同様に行われる。
【００４９】
（１−３）論理モジュールの構成
（１−３−１）論理モジュールにおける具体的な結線構成
図８は、キャビネットタイプのディスクアレイ装置１の論理モジュール１０における各論理基板１９の具体的な結線構成を示している。このディスクアレイ装置１の論理モジュール１０には、論理基板１９として、ディスクアダプタ６０が形成されたディスクアダプタ基板１９Ａと、チャネルアダプタ６４が形成されたチャネルアダプタ基板１９Ｂと、接続部６１が形成された接続部基板１９Ｃと、キャッシュメモリ６３が形成されたキャッシュメモリ基板１９Ｄと、共有メモリ６２が形成された共有メモリ基板１９Ｅ（図１０参照）とが収納される。図８では、共有メモリ基板１９Ｅは省略されている。
【００５０】
キャビネットタイプのディスクアレイ装置１では、１つの論理モジュール１０の上段及び下段のそれぞれに、チャネルアダプタ基板１９Ａ及びディスクアダプタ基板１９Ｂがそれぞれ４枚ずつ、接続部基板１９Ｃ及びキャッシュメモリ基板１９Ｄがそれぞれ２枚ずつ、共有メモリ基板１９Ｅが１枚収容される。なお４枚のディスクアダプタ基板１９Ｂの一部をチャネルアダプタ基板１９Ａに代えることも可能である。
【００５１】
キャビネットタイプのディスクアレイ装置１の場合、図８からも明らかなように、論理モジュール筐体１８（図２）に装着された各チャネルアダプタ基板１９Ａのうちの半分のチャネルアダプタ基板１９Ａに形成されたチャネルアダプタ６０は、それぞれバックボード２０を介して、論理モジュール筐体１８の上段に装着された一方の接続部基板１９Ｃに形成された接続部６１と、論理モジュール筐体１８の下段に装着された一方の接続部基板１９Ｃに形成された接続部６１と接続されると共に、残りの半分のチャネルアダプタ基板１９Ａに形成されたチャネルアダプタ６０は、それぞれバックボード２０を介して、論理モジュール筐体１８の上段に装着された他方の接続部基板１９Ｃに形成された接続部６１と、論理モジュール筐体１８の下段に装着された他方の接続部基板１９Ｃに形成された接続部６１と接続される。
【００５２】
同様に、論理モジュール筐体１８（図２）に装着された各ディスクアダプタ基板１９Ｂのうちの半分のディスクアダプタ基板１９Ｂに形成されたディスクアダプタ６４は、それぞれバックボード２０を介して、論理モジュール筐体１８の上段に装着された一方の接続部基板１９Ｃに形成された接続部６１と、論理モジュール筐体１８の下段に装着された一方の接続部基板１９Ｃに形成された接続部６１と接続されると共に、残りの半分のディスクアダプタ基板１９Ｂに形成されたディスクアダプタ６４は、それぞれバックボード２０を介して、論理モジュール筐体１８の上段に装着された他方の接続部基板１９Ｃに形成された接続部６１と、論理モジュール筐体１８の下段に装着された他方の接続部基板１９Ｃに形成された接続部６１と接続される。
【００５３】
また各接続部基板１９Ｃに形成された各接続部６１は、正面側及び背面側にそれぞれ配置された各論理モジュール１０（図１）内のすべてのキャッシュメモリ６３と接続されている。これによりこのディスクアレイ装置１では、チャネルアダプタ６０に接続された上位装置が、ディスクアダプタ６４に接続されたすべてのディスクドライブ３にアクセスできるようになされている。
【００５４】
このような構成を有するこのディスクアレイ装置１では、いずれかの論理基板１９、特に接続部基板１９Ｃの１つに不具合が発生した場合にも、２分割する前の元の大きさの接続部基板の１つに不具合が発生した場合に生じる影響の半分の影響ですみ、論理基板１９の一部障害によるディスクアレイ装置１の性能への影響を低減させることができる。
【００５５】
一方、図９は、ラックタイプのディスクアレイ装置４０の論理モジュール５２における各論理基板１９の具体的な結線構成を示す。このディスクアレイ装置４０の場合も、論理モジュール５２には、論理基板１９として、ディスクアダプタ基板１９Ａ、チャネルアダプタ基板１９Ｂ、接続部基板１９Ｃ、キャッシュメモリ基板１９Ｄ及び共有メモリ基板１９Ｅ（図１０参照）が収容される。この図９においても共有メモリ基板１９Ｅは省略されている。
【００５６】
ラックタイプのディスクアレイ装置４０では、１つの論理モジュール１０に、チャネルアダプタ基板１９Ａ及びディスクアダプタ基板１９Ｂがそれぞれ４枚ずつ、接続部基板１９Ｃ及びキャッシュメモリ基板１９Ｄがそれぞれ２枚ずつ、共有メモリ基板１９Ｅが１枚収容される。なお、このディスクアレイ装置４０においても、４枚のディスクアダプタ基板１９Ｂの一部をチャネルアダプタ基板１９Ａに代えることができる。
【００５７】
ラックタイプのディスクアレイ装置４０の場合、図９からも明らかなように、論理モジュール筐体５７（図５）に装着された各チャネルアダプタ基板１９Ａのうちの半分のチャネルアダプタ基板１９Ａに形成されたチャネルアダプタ６０は、それぞれバックボード５１を介して、論理モジュール筐体５７（図５）に装着された一方の接続部基板１９Ｃに形成された接続部６１と接続されると共に、残りの半分のチャネルアダプタ基板１９Ａに形成されたチャネルアダプタ６０は、それぞれバックボード５１を介して、論理モジュール筐体５７に装着された他方の接続部基板１９Ｃに形成された接続部６１と接続される。
【００５８】
同様に、論理モジュール筐体５７（図５）に装着された各ディスクアダプタ基板１９Ｂのうちの半分のディスクアダプタ基板１９Ｂに形成されたディスクアダプタ６０は、それぞれバックボード５１を介して、論理モジュール筐体５７（図５）に装着された一方の接続部基板１９Ｃに形成された接続部６１と接続されると共に、残りの半分のチャネルアダプタ基板１９Ａに形成されたチャネルアダプタ６０は、それぞれバックボード５１を介して、論理モジュール筐体５７に装着された他方の接続部基板１９Ｃに形成された接続部６１と接続される。
【００５９】
また各接続部基板１９Ｃに形成された各接続部６１は、それぞれ論理モジュール筐体５７に装着された２枚のキャッシュメモリ基板１９Ｄに形成された各キャッシュメモリ６３と接続されている。これによりこのディスクアレイ装置４０では、チャネルアダプタ６０に接続された上位装置が、ディスクアダプタ６４に接続されたすべてのディスクデバイス３にアクセスできるようになされている。
【００６０】
このような構成を有するこのディスクアレイ装置４０でも、いずれかの論理基板１９、特に接続部基板１９Ｃの１つに不具合が発生した場合にも、２分割する前の元の大きさの接続部基板の１つに不具合が発生した場合に生じる影響の半分の影響ですみ、論理基板１９の一部障害によるディスクアレイ装置４０の性能への影響を低減させることができる。
【００６１】
（１−３−２）論理モジュールにおける論理基板の実装構成
図１０は、ラックタイプのディスクアレイ装置４０の論理モジュール５２における各論理基板１９の実装構成を示すものである。この実施の形態の場合、論理モジュール５２に収容される論理基板１９としては、上述のようにチャネルアダプタ基板１９Ａ、ディスクアダプタ基板１９Ｂ、接続部基板１９Ｃ、キャッシュメモリ基板１９Ｄ及び共有メモリ基板１９Ｅがある。
【００６２】
このうちチャネルアダプタ基板１９Ａ、ディスクアダプタ基板１９Ｂ及び接続部基板１９Ｃには、それぞれ前端縁部（以下、これをサブエッジと呼ぶ）に接続ポートが設けられ、この接続ポートから上位装置や増設筐体又はネットワークと接続するためのケーブルが引き出される。これに対して、キャッシュメモリ基板１９Ｄ及び共有メモリ基板１９Ｅには接続ポートが設けられておらず、これらキャッシュメモリ基板１９Ｄ及び共有メモリ基板１９Ｅからケーブルが引き出されることはない。
【００６３】
そこでラックタイプのディスクアレイ装置４０の論理モジュール５２では、図１０に示すように、１枚の共有メモリ基板１９Ｅを挟んで左右にキャッシュメモリ基板１９Ｄを論理モジュール筐体５７（図５）の中央に配置すると共に、さらにその左右側にそれぞれチャネルアダプタ基板１９Ａ、接続部基板１９Ｃ及びディスクアダプタ基板１９Ｂ（又はチャネルアダプタ基板１９Ａ）をそれぞれこの順番で装填するように構成されている。これによりこのディスクアレイ装置４０では、これらチャネルアダプタ基板１９Ａ、チャネルアダプタ基板１９Ｂ及び接続部基板１９Ｃのサブエッジ側からそれぞれ引き出されるケーブルを論理モジュール筐体５７の左右に振り分けることができ、かくしてこれらケーブル同士の交差や重なりを有効に防止し得るようになされている。
【００６４】
一方、図１１は、キャビネットタイプのディスクアレイ装置１の論理モジュール１０における各論理基板１９の実装構成を示すものである。キャビネットタイプのディスクアレイ装置１では、この図１１に示すように、それぞれ４枚ずつのチャネルアダプタ基板１９Ａ及びディスクアダプタ基板１９Ｂと、それぞれ２枚ずつの接続部基板１９Ｃ及びキャッシュメモリ基板１９Ｄと、１枚の共有メモリ基板１９Ｅとの組を論理モジュール１０における論理基板１９の基本基板構成としている。
【００６５】
またディスクアレイ装置１では、このうちのさらにディスクアレイ装置１が駆動するために最低限必要なチャネルアダプタ基板１９Ａ、ディスクアダプタ基板１９Ｂ、接続部基板１９Ｃ、キャッシュメモリ基板１９Ｄ及び共有メモリ基板１９Ｅの１枚ずつを基本基板構成のうちの基本構成とし、残りのチャネルアダプタ基板１９Ａ、ディスクアダプタ基板１９Ｂ、接続部基板１９Ｃ及びキャッシュメモリ基板１９Ｄの１枚ずつを基本基板構成における増設構成としている。そしてディスクアレイ装置１では、これら基本構成及び増設構成を論理モジュール筐体１８の上下段に分けて配置することで、上述のように従来機種の性能を維持する一方で、上下段の各チャネルアダプタ基板１９Ａ、各チャネルアダプタ基板１９Ｂ及び接続部基板１９Ｃからそれぞれ引き出されるケーブルの重なりを防止している。
【００６６】
さらに、ディスクアレイ装置１では、論理モジュール１０の論理基板１９を基本基板構成から増設する際には、上述の基本基板構成の基本構成を増設基板構成の基本構成とし、基本基板構成の増設構成を増設基板構成の増設構成として、増設基板構成の基本構成及び造成基板構成の増設構成の順序で論理モジュール筐体１９の上段及び下段の順番、又は下段及び上段の順番で論理基板１９を増設してゆくことで、基本構成時の冷却効率の低減や、論理基板１９の増設に伴う冷却効率の劣化を有効に防止することができる。
【００６７】
なお、このような論理モジュール１０における論理基板１９の増設順序としては、図１２に示すように基本基板構成の基本構成及び増設構成を論理モジュール筐体１８の上段又は下段の左右に配列し、その後増設基板構成のうちの基本構成を基本基板構成における基本構成の下側又は上側に配置すると共に、その横に増設基板構成のうちの増設構成を配置する順序であっても良い。
【００６８】
また論理モジュール１０における論理基板１９の実装構成としては、図１３に示すように、ディスクアダプタ基板１９Ｂ（又はこれに代わるチャネルアダプタ基板１９Ａ）をすべて上段又は下段に配置すると共に、チャネルアダプタ基板１９Ａをすべて論理モジュール筐体１８の下段又は上段に配置するようにしても良い。
【００６９】
さらに論理モジュール１０における論理基板１９の実装構成としては、図１４に示すように、サイドエッジからケーブルが引き出されるチャネルアダプタ基板１９Ａ、ディスクアダプタ基板１９Ｂ及び接続部基板１９Ｃを、論理モジュール筐体１８における上段及び下段のいずれについても、外側から順番に接続部基板１９Ｃ、ディスクアダプタ基板１９Ｂ及びチャネルアダプタ基板１９Ａの順番に配置するようにしても良い。さらに、図１５に示すように、接続部基板１９Ｃの左右にチャネルアダプタ基板１９Ａを配置したり（図１５（Ａ））、接続部基板１９Ｃの左右にディスクアダプタ基板１９Ｂを配置する（１５図（Ｂ））ようにしても良い。
【００７０】
なお、元の大きさ、つまり本実施の形態による論理基板１９の２倍の大きさの論理基板を装填できるように論理モジュール筐体１８を構成し、本実施の形態による論理基板１９及び元の大きさの論理基板を組み合わせて配置できるようにしても良い。特にキャッシュメモリ基板１９Ｄ及び共有メモリ基板１９Ｅは、もとの論理基板と２分割した論理基板１９のピン数が同じであるため、これらを元の大きさの論理基板とすることで、論理モジュール１０全体としてのピン数を低減することができる。
【００７１】
（１−３−３）論理基板の装着構造
次に、この実施の形態によるキャビネットタイプ及びラックタイプの各ディスクアレイ装置１，４０における各論理基板１９の装着構造について説明する。図１６は、ラックタイプ及びキャビネットタイプの双方のディスクアレイ装置１，４０において採用されている論理モジュール１０，５２における論理基板１９の装着構造を示すものである。この実施の形態の場合、論理モジュール１０，５２には、装着される論理基板１９を上下方向から挟み込むように平板状のガイドチャンネル８０，８１が設けられている。
【００７２】
各ガイドチャンネル８０，８１には、論理基板１９の装着位置にそれぞれ対応させて、論理基板１９の挿抜方向（すなわち前後方向）と平行にコ字状の基板ガイド８２が取り付けられている。各論理基板１９は、その上側及び下側をこれら論理モジュール１０，５２の上側及び下側の各ガイドチャンネル８０，８１の基板ガイド８２内に上側及び下側を嵌め込むようにして論理モジュール１０，５２内に挿入される。
【００７３】
論理モジュール１０，５２における各ガイドチャンネル８０，８１の前端部には、それぞれ互いに離反する方向に窪むように設けられた断面コ字状の係合部８０Ａ，８１Ａが形成されている。また図１６及び図１７に示すように、各論理基板１９の正面側のサイドエッジの上端部及び下端部には、それぞれ挿抜レバー８３，８４が軸体８５，８６を中心として回動自在に取り付けられている。これら挿抜レバー８３，８４は、ガイドチャンネル８０に近い方の端部でなるガイドチャンネル側端部８３Ａ，８４Ａが「く」字状に屈曲されており、その先端にはそれぞれ平面部８３ＡＸ，８４ＡＸが設けられている。
【００７４】
これにより論理モジュール１０，５２においては、論理基板１９の背面に配設された図示しないコネクタとバックボード２０，５１（図２、図５）に配設された図示しないコネクタとが接触するまで論理基板１９を論理モジュール１０，５２内に押し込んだ後に、挿抜レバー８３，８４のガイドチャンネル側端部８３Ａ，８４Ａと反対側の端部でなるハンドル部８３Ｂ，８４Ｂを矢印ａ（図１７（Ａ））で示す挿入方向に押すことによって、ガイドチャンネル側端部８３Ａ，８４Ａの先端部をガイドチャンネル８０，８１の係合部８０Ａ，８１Ａにおける前方向の内側面に押し付けて、てこの原理により論理基板１９を論理モジュール筐体１８，５７（図２、図５）内に押し込むことができる。この結果、このとき論理基板１９の背面側に設けられたコネクタがバックボード２０，５１に設けられた対応するコネクタと嵌め合わされる。そしてこの後、さらに挿抜レバー８３，８４のハンドル部８３Ｂ，８４Ｂを挿入方向に押すと、挿抜レバー８３のガイドチャンネル側端部８３Ａの平面部８３ＡＸがガイドチャンネル８０，８１の係合部８０Ａ，８１Ａにおける前方向の内側面と圧接し、これにより論理基板１９及びバックボード２０，５２が接続された状態にロックされる。
【００７５】
なお各論理基板１９の正面側のサイドエッジの上端部及び下端部にはそれぞれねじ８７，８８が設けられており、これらねじ８７，８８を対応するガイドチャンネル８０，８１の係合部８０Ａ，８１Ａの前面側に設けられた対応するねじ穴８０ＡＸ，８１ＡＸにねじ込むことによって、論理基板１９をバックボード２０，５２に接続された状態に固定できるようになされている。
【００７６】
一方、論理モジュール１０，５２においては、各ねじ８７，８８をガイドチャンネル８０，８１の対応するねじ穴８０ＡＸ，８１ＡＸから外した後に、挿抜レバー８３，８４のハンドル部８３Ｂ，８４Ｂを矢印ｂ（図１７（Ａ）〜（Ｃ））で示す抜去方向に引くと、挿抜レバー８３，８４の回転に伴って挿抜レバー８３，８４のガイドチャンネル側端部８３Ａ，８４Ａの平面部８３ＡＸ，８４ＡＸがガイドチャンネル８０，８１の係合部８０Ａ，８１Ａの前方向の内側面から離反することによりロックが解除される（図１７（Ａ））。その後、さらに挿抜レバー８３，８４ハンドル部８３Ａ，８４Ａを抜去方向に引くと、今度は挿抜レバー８３，８４のガイドチャンネル側先端部８３Ａ，８４Ａがガイドチャンネル８０，８１の係合部８０Ａ，８１Ａの後方向の内側面に押し付けられて（図１７（Ｂ））、てこの原理により論理基板１９が論理モジュール１０，５２から引き出される。この結果、論理基板１９の背面側のコネクタがバックボード２０，５２の対応するコネクタから外れる。これにより、この後人手によってその論理基板１９を論理モジュール２０，５２から引き出すことが可能となる（図１７（Ｃ））。
【００７７】
（１−４）本実施の形態の効果
以上のように本実施の形態によるラックタイプ及びキャビネットタイプの各ディスクアレイ装置１，４０では、論理モジュール１０，５２に収容される論理基板１９が従来の論理基板の半分の大きさに分割形成されているため、論理基板１９をラックタイプ及びキャビネットタイプの双方に共通に使用することができる。従って、ラックタイプ及びキャビネットタイプの双方のディスクアレイ装置１，４０を製造する場合において、ラックタイプ及びキャビネットタイプのそれぞれで論理基板１９を別々に製造する場合と比べて、論理基板１９の製造や管理についての負荷を格段的に低減することができる。
【００７８】
（２）第２の実施の形態
上述した第１の実施の形態によるキャビネットタイプのディスクアレイ装置１の場合、各論理基板１９の挿抜レバー８３，８４として従来タイプのものを適用しているために、論理モジュール１０における論理モジュール筐体１８の上段及び下段に装着された論理基板１９の挿抜時に、図１８に示すように、上段の論理基板１９における下側の挿抜レバー８４と、下段の論理基板１９における上側の挿抜レバー８３とが干渉することとなる。
【００７９】
この問題を解決する手法としては、図１９に示すように、論理モジュール筐体１８の上段に装着される論理基板１９の下側の挿抜レバー８４と、論理モジュール筐体１８の下段に装着される論理基板１９の上側の挿抜レバー８４とが干渉しないように、論理モジュール筐体１８におけるこれら論理基板１９の装着位置を離すようにする方法が考えられる。しかしながらこの方法によると、論理モジュール１０や、ひいてはディスクアレイ装置１が大型化する問題がある。
【００８０】
論理モジュール１０の大型化を避けながらかかる問題を解決する方法としては、論理モジュール筐体１８における上段及び下段の各論理基板１９の挿抜レバー８３，８４が干渉しない大きさとなるまで、これら論理基板１９をより小型化（論理基板１９の高さをさらに低くする）方法も考えられる。しかしながらこの方法によると、論理基板１９の基板面積が従来機種の基板面積の半分を大きく下回るために、論理基板１９を２枚用いても従来機種と同様の論理基板１９の高密度実装を図ることができず、結果としてディスクアレイ装置１の性能を劣化させる問題がある。
【００８１】
そこで、第２の実施の形態によるキャビネットタイプのディスクアレイ装置１においては、この問題を解決するため、論理基板１９における挿抜レバーの構造を工夫している点を１つの特徴としている。
【００８２】
図１〜図３との対応部分に同一符号を付して示す図２０〜図２２は、第２の実施の形態によるキャビネットタイプのディスクアレイ装置９０を示す。このディスクアレイ装置９０は、制御装置９１の論理モジュール９２における各論理基板９３の装着構造が異なる点を除いて、図１〜図３について上述した第１の実施の形態によるキャビネットタイプのディスクアレイ装置１と同様に構成されている。
【００８３】
実際上、第２の実施の形態によるキャビネットタイプのディスクアレイ装置９０の場合、論理モジュール９２における論理モジュール筐体９４には、図２３及び図２４に示すように、論理基板９３を装着する上段部分及び下段部分の各底面をそれぞれ形成する底面板１００，１０１が設けられている。また論理モジュール筐体９４（図２１）には、上段部分に装着される論理基板９３を底面板１００と共に上下方向から挟み込むように平面状のガイドチャンネル１０２が設けられている。
【００８４】
これらガイドチャンネル１０２の下面、上段の底面を形成する底面板１００の上面及び下面並びに下段の底面を形成する底面板１０１の上面には、それぞれ論理基板９３の装着位置にそれぞれ対応させて、論理基板９３の挿抜方向（すなわち前後方向）と平行にコ字状の基板ガイド１０３が取り付けられている。各論理基板９３は、その上側及び下側をこれらガイドチャンネル１０２の下面に設けられた基板ガイド１０３及び上段部分の底面を形成する底面板１００の上面に形成された基板ガイド１０３や、当該底面板１００の下面に形成された基板ガイド１０３及び下段部分の底面を形成する底面板１０１の上面に形成された基板ガイド１０３にその上側及び下側を嵌め込むようにして論理モジュール筐体９４内に挿入される。
【００８５】
また論理モジュール筐体９４の上段部分及び下段部分の底面をそれぞれ形成する各底面板１００，１０１の前端部には、これら底面板１００，１０１の縁部に沿って直線状の溝部１００Ａ，１０１Ａがそれぞれ設けられている。また各論理基板９３における前面側（論理基板９３における論理モジュール筐体９４への挿入方向の後端側に相当）には、下端側の一角にのみ、論理基板９３を論理モジュール筐体９４に挿抜する際に操作するための挿抜レバー１０４が設けられている。
【００８６】
挿抜レバー１０４は、論理基板９３とほぼ同じ高さ（論理基板９３における論理モジュール筐体９４への挿入方向と垂直な方向の長さ）を有する棒状のハンドル部１０４Ａと、このハンドル部１０４Ａの下端部に設けられた係合部１０４Ｂとから構成されており、論理モジュール筐体９４に収容された状態において論理基板９３の前方向の下端部に植立された軸体１０５に係合部１０４Ａが軸支されるようにして、前後方向に回動自在に論理基板９３に取り付けられている。
【００８７】
また図２４からも明らかなように、係合部１０４Ｂは全体として丸みを帯びた三角形状に形成されており、図２４（Ａ）のように挿抜レバー１０４を矢印ｃで示す挿入方向に持ち上げたときに、かかる係合部１０４Ｂの下端部が論理モジュール筐体９４における上段部分の底面を形成する底面板１００の溝部１００Ａ又は論理モジュール筐体９４における下段部分の底面を形成する底面板１０１の溝部１０１Ａに嵌り込み得るようになされている。
【００８８】
これによりこのディスクアレイ装置９０においては、図２４（Ｂ）の下段に示すように、挿抜レバー１０４をほぼ水平となるまで矢印ｄで示す抜去方向に倒した状態で論理基板９３を論理モジュール筐体９４内に基板ガイド１０３に沿って押し込んだ後に、挿抜レバー１０４のハンドル部１０４Ａを垂直となるまで持ち上げることによって、係合部１０４Ｂの先端部を対応する底面板１００，１０１の溝部１００Ａ，１０１Ａにおける前方向の内側面に押し付けて、てこの原理により論理基板９３を論理モジュール筐体９４内に押し込むことができる。この結果、このとき論理基板９３の背面側に設けられたコネクタ１１７（図２９参照）がバックボード２０（図２１）に設けられた対応するコネクタ１１６（図２９参照）と嵌め合わされることとなる（図２４（Ａ）の上段）。
【００８９】
また論理モジュール９２においては、この後この状態から挿抜レバー１０４のハンドル部１０４を抜却方向に倒すと、係合部１０４Ｂの先端部が対応する底面板１００，１０１の溝部１００Ａ，１０１Ａにおける後方向の内側面に押し付けられて、てこの原理により論理基板９３が論理モジュール筐体９４から引き出される（図２４（Ａ）の下段及び図２４（Ｂ））。この結果、論理基板９３の背面側のコネクタ１１７（図２９）がバックボード２０の対応するコネクタ１１６（図２９）から外れる（図２４（Ｂ）の下段）。かくして、この後さらに挿抜レバー１０４をハンドル部１０４Ａが水平となるまで倒すことによって、論理基板９３を論理モジュール筐体９４から容易に取り出すことが可能となる。
【００９０】
一方、図４及び図５との対応部分に同一符号を付して示す図２５及び図２６は、第２の実施の形態によるラックタイプのディスクアレイ装置１１０を示す。図２５（Ａ）及び図２６（Ａ）は、ディスクアレイ装置４０の正面図であり、図２５（Ｂ）及び図２６（Ｂ）はディスクアレイ装置４０の背面図である。
【００９１】
このディスクアレイ装置１１０は、基本構成部１１１の論理モジュール１１２における各論理基板９３の装着構造が異なる点を除いて、図４及び図５について上述した第１の実施の形態によるラックタイプのディスクアレイ装置４０と同様に構成されている。
【００９２】
実際上、第２の実施の形態によるラックタイプのディスクアレイ装置１１０の場合、論理モジュール１１２における論理モジュール筐体１１３（図２６）には、図２３及び図２４との対応部分に同一符号を付した図２７及び図２８に示すように、論理基板９３を装着する部分の底面を底面板１１４が設けられており、その前端部に底面板１１４の縁部に沿って直線状の溝部１１４Ａが形成されている。また各論理基板９３における前面側には、それぞれ図２３及び図２４について上述した挿抜レバー１０４が設けられており、各論理基板９３を論理モジュール筐体１１３に上述のキャビネットタイプのディスクアレイ装置９０と同様にして論理モジュール筐体１１３内に挿抜し得るようになされている。
【００９３】
このように本実施の形態によるラックタイプ及びキャビネットタイプの各ディスクアレイ装置９０，１１０では、論理モジュール９２，１１２における論理基板９３の挿抜レバー１０４が論理基板９３の前端部下端において支持される一点支持構造となっているため、特にキャビネットタイプの各ディスクアレイ装置９０の論理モジュール９２において、論理モジュール筐体９４から論理基板９３を抜き出すに際して論理モジュール筐体９４の上段及びその直下の下段の論理基板９３の挿抜レバーを図２４（Ｂ）の下段のように水平に倒した場合においても、これら論理基板９３の挿抜レバー１０４が干渉することがない。
【００９４】
従って、挿抜レバー１０４の干渉防止のために論理モジュール９２における上段及び下段の論理基板９３の装着位置を離す必要がなく、また当該干渉防止のために論理基板９３の高さを削る必要もない。よって、この第２の実施の形態によるディスクアレイ装置９０では、例えば上段及び下段の２枚の論理基板９３によって従来機種と同様の論理基板の高密度実装を図ることができ、論理基板９３の面積減少に伴うディスクアレイ装置９０の性能劣化や、論理モジュール９２における上段及び下段の論理基板９３の装着位置を離すことに伴うディスクアレイ装置９０の大型化を有効に防止することができる。
【００９５】
なおこの実施の形態の場合、図２９に示すように、各論理基板９３の背面部の上端部にはそれぞれ所定大きさの呼込みピン穴９３Ａが設けられる一方、これらと対向するバックボード２０上の所定位置には、かかる呼込みピン穴９３Ａに嵌合可能な大きさの基板呼込みピン１１５Ａが植設されている。なお、図２９は、キャビネットタイプのディスクアレイ装置９０における論理モジュール９２を示しているが、ラックタイプのディスクアレイ装置１１０における論理モジュール１１２も同様に構成されている。
【００９６】
これによりこれら第２の実施の形態によるディスクアレイ装置９０，１１０では、挿抜レバー１０４を持ち上げる際や挿抜レバー１０４を倒す際にその反作用として論理基板９３の背面のコネクタ１１７及びこれと接続されたバックボード２０，５１のコネクタ１１６に不要な上下方向の力が働いてこれらが破損するのを有効に防止でき、これにより挿抜レバー１０４が１つしかないことに起因する不具合を有効かつ未然に防止することができるようになされている。
【００９７】
（３）第３の実施の形態
図２３及び図２４との対応部分に同一符号を付して示す図３０及び図３１は第３の実施の形態によるラックタイプのディスクアレイ装置１２０を示す。図３４（Ａ）及び図３５（Ａ）は、ディスクアレイ装置１２０の正面図であり、図３０（Ｂ）及び図３１（Ｂ）はディスクアレイ装置１２０の背面図である。
【００９８】
第３の実施の形態によるラックタイプのディスクアレイ装置１２０は、基本構成部１２１の論理モジュール１２２における冷却構造にＺ字状の冷却構造が採用されている点と、論理モジュール筐体１２３に装着される論理基板１２４に設けられた挿抜レバー１４０（図３４）の構成が異なる点とを除いて第２の実施の形態によるディスクアレイ装置１１０（図２３及び図２４）と同様に構成されている。
【００９９】
ここで、この第３の実施の形態によるラックタイプのディスクアレイ装置１２０における冷却構造を説明する前に、第２の実施の形態によるキャビネットタイプのディスクアレイ装置９０（図２０〜図２２）における制御装置９１（図２０〜図２２）の冷却構造について説明する。
【０１００】
図３２は、第２の実施の形態によるキャビネットタイプのディスクアレイ装置９０の制御装置９１における冷却構造を示すものである。この図３２において矢印は冷却風の流れを表している。この図３２に示すように、制御装置９１では、ディスクドライブモジュール１１上に冷却ファン１３が配置されると共に、制御装置９１の内部には、前面側に配置されたディスクドライブモジュール１１と、背面側に配置されたディスクドライブモジュール１１とに挟まれるようにエアダクト１３０が設けられている。
【０１０１】
これによりこの制御装置９１では、論理モジュール９２において発生した熱をエアダクト１３０を通して冷却ファン１３によって吸い上げることができ、かくしてディスクドライブモジュール１１の隙間を通って冷却ファン１３に吸い上げられた冷却風と、エアダクト１３０を通って冷却ファン１３に吸い上げられた冷却風とが合流する際における冷却風の流れの乱れを有効に防止して、当該冷却風の流れの乱れに起因する冷却効率の低下を有効に防止することができる。
【０１０２】
これに対して、第３の実施の形態によるラックタイプのディスクアレイ装置１２０の場合、上述のようにディスクアレイ装置１２０の大半を占めるディスクドライブモジュール５０やコントロールモジュール５３及び論理モジュール１２２が前面側からのみラックフレーム５４に取り付けられた前面保守構成となっており、これら各モジュール５０，５３，１２２がラックフレーム５４内の後ろ側近傍にまで達するため、上述のようなエアダクト１３０を用いた冷却構造を採用することができない。
【０１０３】
また単に前面側から背面側に冷却風を流す冷却構造とすると、論理モジュール１２２における論理モジュール筐体１２３の奥部に前面側を向けて配設されるバックボード５１（図５）が冷却風の流れを妨げる問題がある。この問題を解決するための方法として、例えばバックボード５１に冷却風を流すための開口を設けることも考えられるものの、配線パターン等が高密度で形成されているバックボード５１に開口を設ける余裕はなく、現実的ではない。
【０１０４】
そこで、この実施の形態によるラックタイプのディスクアレイ装置１２０では、図３３に示すように、ディスクドライブモジュール５０の部分については前側から後側に冷却風が流れるように電源部５６の後端部に設けられた冷却ファン５９により吸い込むようにする一方、論理モジュール１２２については、前面側の下側に吸気用の冷却ファン１３１を設けると共に背面側の上側に排気用の冷却ファン１３２を設けることで、強制的に論理モジュール１２２の前面下側から背面上側にＺ字状に冷却風が流れるようにしている。
【０１０５】
またこのディスクアレイ装置１２０では、これに加えて論理モジュール１２２における論理モジュール筐体１２３の内部底面に後端部が上方向に持ち上がるように屈曲された第１の遮蔽板１３３を設けると共に、当該論理モジュール筐体１２３の内部上面に前側が下方向に下がるように屈曲された第２の遮蔽板１３４を設けており、これによりこれら第１及び第２の遮蔽板１３３，１３４によって冷却風の流れをガイドすることにより、より安定して冷却風がＺ字状に流れ得るようになされている。
【０１０６】
さらにこのディスクアレイ装置１２０では、図２７及び図２８との対応部分に同一符号を付した図３４及び図３５に示すように、各論理基板１２４の前側に配設される挿抜レバー１４０のハンドル部１４０Ａが論理基板９３とほぼ同じ高さを有するコ字状に形成されている。これによりこのディスクアレイ装置１２０では、論理モジュール筐体１２３に装着された各論理基板１２４の挿抜レバー１４０によって当該論理モジュール筐体１２４の開口端を覆うことができる。かくするにつき、このディスクアレイ装置１２０では、論理モジュール１２２のプル用の冷却ファン１３２により吐き出された冷却風が論理モジュール筐体１２３の開口端側から吸い込まれるのを防止し、より安定して冷却風がＺ字状に流れ得るようになされている。
【０１０７】
なお、図３４に示すように、挿抜レバー１４０のハンドル部１４０Ａの前面中央部には開口部１４０ＡＸが形成されており、これにより各論理基板１２４のサブエッジ側にそれぞれ形成される接続ポート１４１をこの開口部１４０ＡＸを介して露出させることができるようになされている。また挿抜レバー１４０のハンドル部１４０Ａの所定位置には、この開口部１４０ＡＸと連通するように切欠き部１４０ＡＹが設けられており、かくしてハンドル部１４０Ａを持ち上げ又は倒す際に、論理基板１２４の接続ポート１４１に接続されたケーブルをこの切欠きを介して開口部１４０ＡＸを通すように移動させ又は開口部１４０ＡＸを通らないように外すことによって、接続ポート１４１からケーブルを外すことなく挿抜レバー１４０を持ち上げ又は倒すことができるようになされている。
【０１０８】
このようにこの実施の形態によるディスクアレイ装置では、論理モジュール１２２においてＺ字状の冷却構造を採用することによって、バックボード５１に邪魔されることなく、効率良く論理モジュール１２２を冷却することができる。
【０１０９】
（４）他の実施の形態
なお上述の第１〜第３実施の形態においては、従来機種において用いられている論理基板を機能的に２分割するようにした場合について述べたが、本発明はこれに限らず、例えば従来機種において用いられている論理基板にチャネルアダプタ６０（図６）やディスクアダプタ６４（図６）が３個以上形成されている場合には、論理基板を３つ以上に分割するようにしても良い。
【０１１０】
この場合には、これら分割して形成した各論理基板が論理モジュール筐体１８，５７，９４，１１３，１２３に対するこれら論理基板の挿入方向と垂直な方向に並ぶように収容できるように論理モジュール筐体１８，５７，９４，１１３，１２３を形成するようにすれば良い。またこの場合における各論理基板は、もとの論理基板の基板面積を分割数で割った大きさとほぼ等しい大きさの基板面積となるように形成すれば良い。ただし、分割形成した各論理基板の大きさは、これ以外の大きさであっても良い。
【０１１１】
また上述の第３実施の形態においては、論理モジュール筐体１２３の前面側の下側に吸気用の冷却ファン１３１を設けると共に背面側の上側に排気用の冷却ファン１３２を設けるようにした場合について述べたが、本発明はこれに限らず、論理モジュール筐体１２３の前面側の下側に排気用の冷却ファンを設けると共に背面側の上側に吸気用の冷却ファンを設けるようにしても良く、また論理モジュール筐体１２３の前面側の上側に吸気又は排気用の冷却ファンを設けると共に背面側の下側に排気又は吸気用の冷却ファンを設けるようにしても良い。要は、論理モジュール筐体１２３の前後に配設された排気用及び吸気用の冷却ファンが、論理モジュール筐体１２３内に収容された論理基板１２４を挟んで、論理モジュール筐体１２３に対する論理基板１２４の挿入方向と論理基板１２４の厚み方向との双方に垂直な方向の両側に配置するようにすれば良い。
【０１１２】
さらに上述の実施の形態においては、プッシュ用の冷却ファン１３１からプル用の冷却ファン１３２に向けて冷却風が流れるようにガイドするガイド部材として図３３について上述したような形状を有する第１及び第２の遮蔽板１３３，１３４を適用するようにした場合について述べたが、本発明はこれに限らず、例えばＺ字状のダクトを適用するようにしても良い。
【０１１３】
さらに上述の第３の実施の形態においては、ラックタイプのディスクアレイ装置１２０についてのみ、挿抜レバー１４０を図３４のように構成するようにした場合について述べたが、本発明はこれに限らず、キャビネットタイプのディスクアレイ装置の挿抜レバーについても同様に図３４のように構成するようにしても良い。
【産業上の利用可能性】
【０１１４】
本発明は、ラックタイプ及びキャビネットタイプのディスクアレイ装置に適用することができる。
【図面の簡単な説明】
【０１１５】
【図１】第１の実施の形態によるキャビネットタイプのディスクアレイ装置の概観構成を示す斜視図である。
【図２】第１の実施の形態によるキャビネットタイプのディスクアレイ装置の概観構成を示す分解斜視図である。
【図３】第１の実施の形態によるキャビネットタイプのディスクアレイ装置における制御装置の概観構成を示す正面図である。
【図４】第１の実施の形態によるラックタイプのディスクアレイ装置の概観構成を示す斜視図である。
【図５】第１の実施の形態によるラックタイプのディスクアレイ装置の概観構成を示す分解斜視図である。
【図６】キャビネットタイプのディスクアレイ装置の内部構成を示すブロック図である。
【図７】ラックタイプのディスクアレイ装置の内部構成を示すブロック図である。
【図８】キャビネットタイプのディスクアレイ装置における論理モジュールの結線構成を示すブロック図である。
【図９】ラックタイプのディスクアレイ装置における論理モジュールの結線構成を示すブロック図である。
【図１０】ラックタイプのディスクアレイ装置における論理基板の実装構成を示す略線的な正面図である。
【図１１】キャビネットタイプのディスクアレイ装置における論理基板の実装構成を示す略線的な正面図である。
【図１２】キャビネットタイプのディスクアレイ装置における論理基板の実装構成の変形例を示す略線的な正面図である。
【図１３】キャビネットタイプのディスクアレイ装置における論理基板の実装構成の変形例を示す略線的な正面図である。
【図１４】キャビネットタイプのディスクアレイ装置における論理基板の実装構成の変形例を示す略線的な正面図である。
【図１５】キャビネットタイプのディスクアレイ装置における論理基板の実装構成の変形例を示す略線的な正面図である。
【図１６】論理モジュールにおける論理基板の装着構造の説明に供する分解斜視図である。
【図１７】論理モジュールにおける論理基板の装着構造の説明に供する側面図である。
【図１８】論理モジュールにおける論理基板の装着構造の説明に供する側面図である。
【図１９】論理モジュールにおける論理基板の装着構造の説明に供する側面図である。
【図２０】第２の実施の形態によるキャビネットタイプのディスクアレイ装置の概観構成を示す斜視図である。
【図２１】第２の実施の形態によるキャビネットタイプのディスクアレイ装置の概観構成を示す分解斜視図である。
【図２２】第２の実施の形態によるキャビネットタイプのディスクアレイ装置における制御装置の概観構成を示す正面図である。
【図２３】第２の実施の形態によるキャビネットタイプのディスクアレイ装置の論理モジュールにおける論理基板の装着構造の説明に供する分解斜視図である。
【図２４】第２の実施の形態によるキャビネットタイプのディスクアレイ装置の論理モジュールにおける論理基板の装着構造の説明に供する側面図である。
【図２５】第２の実施の形態によるラックタイプのディスクアレイ装置の概観構成を示す斜視図である。
【図２６】第２の実施の形態によるラックタイプのディスクアレイ装置の概観構成を示す分解斜視図である。
【図２７】第２の実施の形態によるラックタイプのディスクアレイ装置の論理モジュールにおける論理基板の装着構造の説明に供する分解斜視図である。
【図２８】第２の実施の形態によるラックタイプのディスクアレイ装置の論理モジュールにおける論理基板の装着構造の説明に供する側面図である。
【図２９】呼込みピン穴及び呼込みピンの説明に供する透視的な側面図である。
【図３０】第２の実施の形態によるラックタイプのディスクアレイ装置の概観構成を示す斜視図である。
【図３１】第２の実施の形態によるラックタイプのディスクアレイ装置の概観構成を示す分解斜視図である。
【図３２】キャビネットタイプのディスクアレイ装置における冷却機構の説明に供する側面図である。
【図３３】第３の実施の形態によるラックタイプのディスクアレイ装置の論理モジュールにおける冷却機構の説明に供する側面図である。
【図３４】第３の実施の形態によるラックタイプのディスクアレイ装置における挿抜レバーの説明に供する分解斜視図である。
【図３５】第３の実施の形態によるラックタイプのディスクアレイ装置における挿抜レバーの説明に供する側面図である。
【図３６】第３の実施の形態によるラックタイプのディスクアレイ装置における挿抜レバーの説明に供する略線的な斜視図である。
【符号の説明】
【０１１６】
１，４０，９０，１１０，１２０……ディスクアレイ装置、１０，５２，９２，１１２，１２２……論理モジュール、１８，５７，９４，１１３，１２３……論理モジュール筐体、１９，９３，１２４……論理基板、１９Ａ……チャネルアダプタ基板、１９Ｂ……ディスクアダプタ基板、１９Ｃ……接続部基板、１９Ｄ……キャッシュメモリ基板、１９Ｅ……共有メモリ基板、２０，５１……バックボード、５９，１３１，１３２……冷却ファン、８３，８４，１０４，１４０……挿抜レバー、８３Ｂ，８４Ｂ，１０４Ａ，１４０Ａ……ハンドル部、９３Ａ……呼込みガイド穴１００，１０１，１１４……底面板、１１５……呼込みガイド、１３３，１３４……遮蔽板、１４０ＡＸ……開口部、１４０ＡＹ……切欠き部。
【図１】
2006309856.tif 000003
【図２】
2006309856.tif 000004
【図３】
2006309856.tif 000005
【図４】
2006309856.tif 000006
【図５】
2006309856.tif 000007
【図６】
2006309856.tif 000008
【図７】
2006309856.tif 000009
【図８】
2006309856.tif 000010
【図９】
2006309856.tif 000011
【図１０】
2006309856.tif 000012
【図１１】
2006309856.tif 000013
【図１２】
2006309856.tif 000014
【図１３】
2006309856.tif 000015
【図１４】
2006309856.tif 000016
【図１５】
2006309856.tif 000017
【図１６】
2006309856.tif 000018
【図１７】
2006309856.tif 000019
【図１８】
2006309856.tif 000020
【図１９】
2006309856.tif 000021
【図２０】
2006309856.tif 000022
【図２１】
2006309856.tif 000023
【図２２】
2006309856.tif 000024
【図２３】
2006309856.tif 000025
【図２４】
2006309856.tif 000026
【図２５】
2006309856.tif 000027
【図２６】
2006309856.tif 000028
【図２７】
2006309856.tif 000029
【図２８】
2006309856.tif 000030
【図２９】
2006309856.tif 000031
【図３０】
2006309856.tif 000032
【図３１】
2006309856.tif 000033
【図３２】
2006309856.tif 000034
【図３３】
2006309856.tif 000035
【図３４】
2006309856.tif 000036
【図３５】
2006309856.tif 000037
【図３６】
2006309856.tif 000038